(57)【要約】【課題】  浴室内の残水を短時間で大幅に減少させて乾燥時間の短縮を図るとともに、カビの発生を有効に防止できる浴室乾燥装置を提供する。【解決手段】  浴室１内に、圧縮空気を吹き付け操作可能なエアノズル１８が設けられ、圧縮空気の吹き付け温度は、５０℃以上である。また、圧縮空気は、気泡浴槽に備えられた気泡発生用コンプレッサー７から供給されるとともに、給湯器８に備えられた熱交換器１５で加熱される。【選択図】  図１
2005147526.tif 000002
【特許請求の範囲】
【請求項１】
浴室内に、圧縮空気を吹き付け操作可能なエアノズルが設けられていることを特徴とする浴室乾燥装置。
【請求項２】
上記圧縮空気の吹き付け温度は、５０℃以上である請求項１記載の浴室乾燥装置。
【請求項３】
上記圧縮空気は、気泡浴槽に備えられた気泡発生用コンプレッサーから供給される請求項１または２に記載の浴室乾燥装置。
【請求項４】
上記圧縮空気は、給湯器に備えられた熱交換器で加熱される請求項１〜３のいずれか１項に記載の浴室乾燥装置。
【発明の詳細な説明】
【技術分野】
【０００１】
本発明は、浴室乾燥装置に関する。
【背景技術】
【０００２】
従来、屋外の空気を噴射ノズルから浴室内に噴射させて、浴室内および浴室内の洗濯物を乾燥させる浴室乾燥機がある（例えば、特許文献１参照）。
【特許文献１】特開平１０−５７６９７号公報
【発明の開示】
【発明が解決しようとする課題】
【０００３】
しかしながら、特許文献１のような構造では、浴室内の隅々まで乾燥させるには長時間を要するために、カビの発生を防止できないという問題がある。
【０００４】
また、浴室内に加熱空気を循環させる浴室乾燥機も提案されているが、やはり長時間を有するために、ランニングコストが高くなるとともに、使い方を誤ればカビが発生しやすい高温多湿環境になりやすいという問題がある。
【０００５】
本発明は、上記問題を解消するためになされたもので、浴室内の残水を短時間で大幅に減少させて乾燥時間の短縮を図るとともに、カビの発生を有効に防止できる浴室乾燥装置を提供することを課題とするものである。
【課題を解決するための手段】
【０００６】
上記課題を解決するために、本発明は、浴室内に、圧縮空気を吹き付け操作可能なエアノズルが設けられていることを特徴とする浴室乾燥装置を提供するものである。
【０００７】
請求項２のように、上記圧縮空気の吹き付け温度は、５０℃以上である構成とすることが好ましい。。
【０００８】
請求項３のように、上記圧縮空気は、気泡浴槽に備えられた気泡発生用コンプレッサーから供給される構成とすることが好ましい。
【０００９】
請求項４のように、上記圧縮空気は、給湯器に備えられた熱交換器で加熱される構成とすることが好ましい。
【発明の効果】
【００１０】
本発明によれば、浴室内において、エアノズルの操作で壁面等に圧縮空気を吹き付けることにより、壁面等に付着した残水を吹き飛ばして短時間で大幅に減少させることができるから、圧縮空気の吹き付けと相俟って乾燥時間が短縮するようになるので、カビの発生を防止できるようになる。また、乾燥時間が短縮できるので、ランニングコストも安くなる。
【００１１】
請求項２によれば、圧縮空気の吹き付け温度を５０℃以上とすれば、乾燥時間がより短縮できるとともに、カビを数分で死滅させることも可能になるので、カビの発生をより有効に防止できるようになる。
【００１２】
圧縮空気を気泡浴槽の気泡発生用コンプレッサーから供給したり（請求項３）、圧縮空気を給湯器の熱交換器で加熱したりすれば（請求項４）、既存の設備を利用できるので、設備コストが安くなる。
【発明を実施するための最良の形態】
【００１３】
以下、本発明を実施するための最良の形態について、図面を参照しながら詳細に説明する。
【００１４】
図１は、浴室１の縦断面図であって、浴室１の内部の底壁１ａには浴槽２が設置されるとともに、側壁１ｂには冷水用蛇口３と温水用蛇口４とを有する混合水洗５が設けられている。また、天井壁１ｃには換気扇６が設けられている。
【００１５】
上記浴室１の外部には、コンプレッサー７と給湯器８とが設置されている。このコンプレッサー７は、浴槽２が気泡浴槽である場合には、配管９を介して底部の気泡噴気部１０に圧縮空気を供給するためのものである（気泡発生用コンプレッサー）。また、給湯器８は、配管１１を介して浴槽２に温水を供給するとともに、配管１３を介して混合水洗５の温水用蛇口４の温水を供給するためのものである。
【００１６】
一方、上記コンプレッサー７には、上記配管９とは別の配管１４が設けられて、この配管１４は、上記給湯器８の熱交換器１５を介して浴室１の側壁１ｂに取付けられたバルブ１６に接続されている。この給湯器８の熱交換器１５によって、配管１４を通る圧縮空気が加熱されるようになる。この加熱温度は、後述するエアガン１８のノズル１８ｂから噴出した場合、ノズル１８ｂの先端から約３０ｃｍの位置で５０℃以上となるように設定するのが好ましい。
【００１７】
上記バルブ１６には、浴室１の内部において、コイル状耐圧ホース１７の後端が接続され、この耐圧ホース１７の先端には、操作者が手で把持して操作可能なエアガン（エアノズル）１８が取付けられている。
【００１８】
このエアガン１８は、引き金１８ａを引くと、コンプレッサー７の圧縮空気が配管１４から熱交換器１５、バルブ１６、耐圧ホース１７を通って、エアガン１８のノズル１８ｂから噴出されるようになる。
【００１９】
上記ノズル１８ｂは、図２（ａ）のような円筒状であれば、噴出角度Ａは狭いが、図２（ｂ）のような扇形状であれば、噴出角度Ｂは広がるようになる。そして、噴出角度Ｂが広いと、自動車のワイパーのようにスクイズできるので、後述の残水（水滴）の吹き飛ばし時間を短縮することができる。
【００２０】
上記コンプレッサー７が駆動状態の時には、配管１４からエアガン１８に圧縮空気が常時供給されるようになっており、スイッチ等に切り替え操作によって、配管９から気泡噴気部１０に圧縮空気が供給されるようにしている。
【００２１】
上記構成であれば、浴室１内において、操作者がエアガン１８を操作して、残水（水滴）の有る底壁１ａ、側壁１ｂ、ドアのガラリ、シール部分等の壁面に圧縮空気を吹き付けることにより、壁面等に付着した残水が吹き飛ばされて、短時間で大幅に減少するようになる。
【００２２】
したがって、エアガン１８による圧縮空気の吹き付けと相俟って乾燥時間が短縮するようになるので、カビの発生を防止できるようになる。また、乾燥時間が短縮できるので、ランニングコストも安くなる。
【００２３】
この圧縮空気の吹き付け温度を５０℃以上とすれば、乾燥時間がより短縮できるとともに、カビを数分で死滅させることもできるので、カビの発生をより有効に防止できるようになる。
【００２４】
さらに、圧縮空気を気泡浴槽の気泡発生用コンプレッサー７を利用して供給するとともに、圧縮空気を給湯器８の熱交換器１５を利用して加熱しているから、既存の設備の利用で設備コストが安くなる。なお、気泡浴槽の気泡発生用コンプレッサー７を利用しないで、別にコンプレッサー７を設けても良いし、給湯器８の熱交換器１５を利用しないで、浴室用暖房装置の熱交換器を利用したり、別に熱交換器（若しくは圧縮空気専用のヒータ式加熱機）を設けても良い。
【００２５】
〔実験条件〕
（１）家庭用のユニットバス（浴室）の側壁１ｂにバルブ１６を取付け、このバルブ１６に４ｍ長のコイル状耐圧ホース１７を接続し、その先端にエアガン１８を取付け、エアガン１８から０．５ＭＰａの圧縮空気を噴出するようにした。
【００２６】
（２）圧縮空気を温水式熱交換器で加熱して、エアガン１８のノズル１８ｂの先端から約３０ｃｍの位置で５０℃以上となるように設定した。
【００２７】
（３）外気環境が温度１５℃、湿度７０％の下で、浴槽２に４５℃の湯を入れ、浴室１の扉を１．５時間閉めきって放置した。浴室１の底壁１ａから１ｍの部分に、一様に４０℃の温水シャワーをかけ、浴槽２に蓋をし、換気扇６の運転を開始し、乾燥時間を計測した。この乾燥時間は、残水量を綿タオルで拭き取って計測し、平均５ｇ／ｍ2以下になるまで要した時間とする。
【００２８】
実験例１は、上記実験条件（１）（３）とした。実験例２は、上記実験条件（１）（２）（３）とした。比較例１は、上記実験条件（３）とした。比較例２は、上記実験条件（３）の換気扇６として、電気式暖房換気乾燥機を使用した。
【００２９】
【表１】
2005147526.tif 000003
【００３０】
表１の実験例１，２と比較例１，２との比較から、圧縮空気を用いて残水（水滴）を吹き飛ばすことにより、乾燥時間が大幅に短縮されることが明らかになった。
【００３１】
図３は、実験室で培養したカビ（Ｃｌａｄｏｓｐｏｒｉｕｍ）を３０℃（鎖線ａ）、４０℃（一点鎖線ｂ）、４５℃（二点鎖線ｃ）、５０℃（実線ｄ）で放置して、菌数の変化を測定したグラフである。
【００３２】
３０℃（鎖線ａ）、４０℃（一点鎖線ｂ）では、カビはほとんど死滅しないが、４５℃（二点鎖線ｃ）では、約３０分でほぼ死滅し、５０℃（実線ｄ）では、約５分で死滅した。この結果、圧縮空気の吹き付け温度を５０℃以上とすれば、カビを数分で死滅できることが明らかになった。
【図面の簡単な説明】
【００３３】
【図１】本発明に係る浴室乾燥装置を備えた浴室の縦断面図である。
【図２】（ａ）（ｂ）は、それぞれエアガンのノズルの平面図である。
【図３】温度と菌数との関係を示すグラフである。
【符号の説明】
【００３４】
１    浴室
７    コンプレッサー
８    給湯器
１０  気泡噴気部
１５  熱交換器
１７  耐圧ホース
１８  エアガン（エアノズル）
【図１】
2005147526.tif 000004
【図２】
2005147526.tif 000005
【図３】
2005147526.tif 000006